【手続補正書】
【提出日】平成18年2月27日(2006.2.27)
【手続補正１】
【補正対象書類名】明細書
【補正対象項目名】特許請求の範囲
【補正方法】変更
【補正の内容】
【特許請求の範囲】
【請求項１】  情報と、
前記情報に関する著作権を示す著作権情報と
を記録するための情報記録媒体であって、
前記著作権情報は、前記情報の再生を制限するための再生制限情報を含み、
前記情報は、第一の情報および第二の情報を含み、
前記情報記録媒体は、前記第一の情報の再生と前記第二の情報の再生とを管理するための管理情報をさらに含み、
前記管理情報は、前記第一の情報と前記第二の情報とをリンク付けるリンク情報を含み、
前記再生制限情報は、前記第一の情報の再生を制限するための第一の再生制限情報と、前記第二の情報の再生を制限するための第二の再生制限情報とを含み、
前記第二の再生制限情報は、前記第一の再生制限情報によって前記第一の情報の再生が許可される場合には前記第二の情報の再生が許可されることを示す許可情報を含む、情報記録媒体。
【請求項２】  情報と、
前記情報の再生を管理するための管理情報と、
前記情報に関する著作権を示す著作権情報と
を記録するための情報記録媒体であって、
前記著作権情報は、前記情報記録媒体のうちの前記情報および前記管理情報が記録される領域とは別の領域に記録され、
前記情報は、複数の部分情報を含み、
前記管理情報は複数の部分管理情報を含み、
前記著作権情報は複数の部分著作権情報を含み、
前記複数の部分管理情報のそれぞれは、前記複数の部分情報のうちの対応する１つの部分情報の再生に関する管理内容を示し、
前記複数の部分著作権情報のそれぞれは、前記複数の部分情報のうちの対応する１つの部分情報に関する著作権を示す、情報記録媒体。
【請求項３】  第一の情報と、
前記第一の情報とリンク付けされた第二の情報と、
前記第二の情報に関する著作権を示す著作権情報と
を記録するための情報記録媒体であって、
前記第二の情報は、複数の部分情報を含み、
前記複数の部分情報のうちの少なくとも１つの部分情報は、該部分情報の内容を示すタグ情報を含み、
前記著作権情報は、前記少なくとも１つの部分情報にのみ適用される、情報記録媒体。
【請求項４】 前記第一の情報は、オーディオ情報および動画情報のうちの少なくとも一方であり、前記第二の情報は、静止画像情報およびテキスト情報のうちの少なくとも一方である、請求項３に記載の情報記録媒体。
【請求項５】  第一の情報および前記第一の情報とリンク付けされた第二の情報が記録された情報記録媒体から前記第一の情報を読み取る読取り部と、
前記第一の情報を出力する出力部と、
前記第一の情報を前記情報記録媒体から削除する書込み部と、
前記読取り部および前記書込み部を制御する制御部と
を備え、
前記制御部は、前記第一の情報を前記情報記録媒体とは別の情報記録媒体に移動させる場合には、前記第二の情報を前記情報記録媒体から削除するように前記書込み部を制御する、記録再生装置。
【請求項６】  前記第一の情報はオーディオ情報および動画情報のうちの少なくとも一方であり、
前記第二の情報は静止画情報およびテキスト情報のうちの少なくとも一方である、請求項５に記載の記録再生装置。
【請求項７】  前記第一の情報を前記別の情報記録媒体に移動させる場合には前記第二の情報が前記情報記録媒体から削除されることを表示する表示部をさらに備える、請求項５に記載の記録再生装置。
【請求項８】  第一の情報および前記第一の情報とリンク付けされた第二の情報が記録された情報記録媒体から前記第二の情報を読み取る読取り部と、
前記第二の情報を出力する出力部と、
前記第二の情報を前記情報記録媒体から削除する書込み部と、
前記読取り部および前記書込み部を制御する制御部と
を備え、
前記制御部は、前記第二の情報を前記情報記録媒体とは別の情報記録媒体に移動させる場合には、前記第一の情報を前記別の情報記録媒体に移動させるように前記読取り部および前記書込み部を制御する、記録再生装置。
【請求項９】  前記第一の情報はオーディオ情報および動画情報のうちの少なくとも一方であり、
前記第二の情報は静止画情報およびテキスト情報のうちの少なくとも一方である、請求項８に記載の記録再生装置。
【請求項１０】  前記情報記録媒体には前記第一の情報の移動が許可されているか否かを示す移動情報がさらに記録されており、
前記読取り部は、前記情報記録媒体から前記移動情報をさらに読み取り、
前記第一の情報の移動が許可されていることを前記移動情報が示す場合には、前記制御部は前記第一の情報と前記第二の情報とを前記別の情報記録媒体に移動させ、
前記第一の情報の移動が許可されていないことを前記移動情報が示す場合には、前記制御部は前記第一の情報と前記第二の情報とを前記別の情報記録媒体に移動させない、請求項８に記載の記録再生装置。
【請求項１１】  前記情報記録媒体には、前記第二の情報の移動が許可されるか否かは前記第一の情報の移動が許可されているか否かに従うことを示す移動情報がさらに記録されており、
前記読取り部は、前記情報記録媒体から前記移動情報をさらに読み取り、
前記第一の情報の移動が許可されている場合には、前記制御部は前記第一の情報と前記第二の情報とを前記別の情報記録媒体に移動させ、
前記第一の情報の移動が許可されていない場合には、前記制御部は前記第一の情報と前記第二の情報とを前記別の情報記録媒体に移動させない、請求項８に記載の記録再生装置。
【請求項１２】  第一の情報が記録された情報記録媒体から前記情報記録媒体とは別の情報記録媒体に前記第一の情報を移動させる記録再生装置であって、
前記情報記録媒体から前記第一の情報を読み取る読取り部と、
前記第一の情報を出力する出力部と、
前記第一の情報を前記情報記録媒体から削除する書込み部と、
前記読取り部および前記書込み部を制御する制御部と
を備え、
前記制御部は、前記第一の情報とリンク付けが可能である第二の情報が前記別の情報記録媒体に記録されているか否かを判定し、前記第二の情報が前記別の情報記録媒体に記録されている場合には、前記第一の情報を前記別の情報記録媒体に移動させるように前記読取り部および前記書込み部を制御し、前記第二の情報が前記別の情報記録媒体に記録されていない場合には、前記第一の情報を前記別の情報記録媒体に移動させない、記録再生装置。
【請求項１３】  前記第一の情報は静止画情報およびテキスト情報のうちの少なくとも一方であり、
前記第二の情報はオーディオ情報および動画情報のうちの少なくとも一方である、請求項１２に記載の記録再生装置。
【請求項１４】  情報と前記情報に関する著作権を示す著作権情報とが記録された情報記録媒体から前記情報と前記著作権情報とを読み取る読取り部と、
前記情報を出力する出力部と
を備えた再生装置であって、
前記著作権情報は、前記情報の再生を制限するための再生制限情報を含み、
前記情報は、第一の情報および第二の情報を含み、
前記情報記録媒体は、前記第一の情報の再生と前記第二の情報の再生とを管理するための管理情報をさらに含み、
前記管理情報は、前記第一の情報と前記第二の情報とをリンク付けるリンク情報を含み、
前記再生制限情報は、前記第一の情報の再生を制限するための第一の再生制限情報と、前記第二の情報の再生を制限するための第二の再生制限情報とを含み、
前記第二の再生制限情報は、前記第一の再生制限情報によって前記第一の情報の再生が許可される場合には前記第二の情報の再生が許可されることを示す許可情報を含み、
前記再生装置は、
前記再生制限情報が示す制限に基づいて前記読取り部および前記出力部のうちの少なくとも一方を制御する制御部をさらに備え、
前記制御部は、前記第一の再生制限情報に基づいて前記第一の情報の再生を許可するか否かを判定し、前記第一の情報の再生を許可する場合には前記第二の情報の再生を許可し、前記第一の情報の再生を許可しない場合には前記第二の情報の再生を許可しない、再生装置。
【請求項１５】  情報記録媒体に記録された第一の情報を前記情報記録媒体から削除する書込み部と、
前記書込み部を制御する制御部と
を備え、
前記制御部は、前記情報記録媒体に前記第一の情報とリンク付けされた第二の情報が記録されているか否かを判定し、前記情報記録媒体に前記第二の情報が記録されている場合には、前記第一の情報を前記情報記録媒体から削除するとともに前記第二の情報を前記情報記録媒体から削除するように前記書込み部を制御し、前記情報記録媒体に前記第二の情報が記録されていない場合には、前記第一の情報を前記情報記録媒体から削除するように前記書込み部を制御する記録再生装置。
【請求項１６】  前記第一の情報はオーディオ情報および動画情報のうちの少なくとも一方であり、
前記第二の情報は静止画情報およびテキスト情報のうちの少なくとも一方である、請求項１５に記載の記録再生装置。
【請求項１７】  第一の情報と、
第二の情報と、
前記第一の情報の再生と前記第二の情報の再生とを管理するための管理情報とを記録するための情報記録媒体であって、
前記管理情報は、前記第一の情報と前記第二の情報とをリンク付けるリンク情報を含み、
前記第二の情報は、所定の情報単位毎に分割された複数の部分情報を含み、
前記複数の部分情報のうちの所定の部分情報が、前記第一の情報を特定するための固有情報を含む、情報記録媒体。
【請求項１８】  前記第一の情報はオーディオ情報および動画情報のうちの少なくとも一方であり、
前記第二の情報は静止画情報およびテキスト情報のうちの少なくとも一方である、請求項１７に記載の情報記録媒体。
【請求項１９】  前記第一の情報に関する著作権を示す著作権情報をさらに記録し、
前記著作権情報は、前記固有情報と同じ固有情報を含む、請求項１７に記載の情報記録媒体。
【請求項２０】  第一の情報および第二の情報が記録された情報記録媒体から、前記第一の情報および前記第二の情報を読取る読取部と、
前記第一の情報および前記第二の情報を出力する出力部と、
前記出力部を制御する制御部と
を備え、
前記制御部は、前記第二の情報が前記第一の情報を特定するための固有情報を含むか否かを判定し、前記第二の情報が前記固有情報を含む場合には、前記第一の情報と前記第二の情報とを再生するように前記出力部を制御し、前記第二の情報が前記固有情報を含まない場合には、前記第一の情報は再生するが前記第二の情報は再生しないように前記出力部を制御する、再生装置。
【請求項２１】  前記第一の情報はオーディオ情報および動画情報のうちの少なくとも一方であり、
前記第二の情報は静止画情報およびテキスト情報のうちの少なくとも一方である、請求項２０に記載の再生装置。
【請求項２２】  前記情報記録媒体には前記第一の情報に関する著作権を示す著作権情報がさらに記録されており、
前記著作権情報は、前記固有情報と同じ固有情報を含み、
前記制御部は、前記著作権情報と前記第二の情報とを比較することにより、前記第二の情報が前記固有情報を含むか否かを判定する、請求項２０に記載の再生装置。